(57)【要約】【課題】基礎上に構築するピットの開口縁部に配置されるピット枠の、ピット開口とは反対側の側面に、ピット枠の長手方向に延びる係止溝が形成され、基礎上に起立する支柱に結合可能なアンカ部材が前記係止溝に収納、固定される、アンカ部材のピット枠への取付構造において、アンカ部材の構造を簡素化すると共に取扱いも簡便化して、アンカ部材によるピット枠支持作業の能率を向上させる。【解決手段】アンカ部材Ａは、ピット枠Ｆの係止溝Ｃｇに遊隙を存して嵌合可能なアンカ本体Ａｍと、そのアンカ本体Ａｍに基部Ｓｂが連結される弾性部材Ｓとを備え、弾性部材Ｓは、これの自由端部Ｓａを係止溝Ｃｇの内面に係合させ且つ弾性部材Ｓを弾性変形させることで生じる弾発力により、その係止溝Ｃｇの内面にアンカ本体Ａｍを圧接させる。【選択図】  図４
2015229908.tif 000002
【特許請求の範囲】
【請求項１】
基礎（Ｂ）上に構築するピット（Ｐ）の開口縁部に配置されるピット枠（Ｆ）の、ピット開口（Ｏ）とは反対側の側面に、ピット枠（Ｆ）の長手方向に延びる係止溝（Ｃｇ）が形成され、基礎（Ｂ）上に起立する支柱（Ｈ）に結合可能なアンカ部材（Ａ）が前記係止溝（Ｃｇ）に収納、固定される、アンカ部材のピット枠への取付構造において、
前記アンカ部材（Ａ）は、前記係止溝（Ｃｇ）に遊隙を存して装入可能なアンカ本体（Ａｍ）と、そのアンカ本体（Ａｍ）に基部（Ｓｂ）が連結される弾性部材（Ｓ）とを備えており、
前記弾性部材（Ｓ）は、これの自由端部（Ｓａ）を前記係止溝（Ｃｇ）に係合させ且つ該弾性部材（Ｓ）を弾性変形させることで生じる弾発力により、その係止溝（Ｃｇ）の内面に前記アンカ本体（Ａｍ）を圧接させることを特徴とする、アンカ部材のピット枠への取付構造。
【請求項２】
前記アンカ本体（Ａｍ）は、前記係止溝（Ｃｇ）にその開放面より装入可能であり且つその装入後に係止溝（Ｃｇ）内で所定角度回動して係止溝（Ｃｇ）内面に係合可能な取付姿勢をとり得るよう縦長形状に形成され、前記弾性部材（Ｓ）は、前記アンカ本体（Ａｍ）の前記係止溝（Ｃｇ）への前記装入を許容し且つ該アンカ本体（Ａｍ）が前記取付姿勢にあるときに該係止溝（Ｃｇ）の内面に前記自由端部（Ｓａ）が圧接し得る形状の板ばねで構成されることを特徴とする、請求項１に記載のアンカ部材のピット枠への取付構造。
【請求項３】
前記弾性部材（Ｓ）の基部（Ｓｂ）が前記アンカ本体（Ａｍ）に相対回動可能に連結されることを特徴とする、請求項２に記載のアンカ部材のピット枠への取付構造。
【請求項４】
前記ピット枠（Ｆ）は、上壁部（Ｃｕ）及び下壁部（Ｃｌ）の一端相互を鉛直壁（Ｃｖ）で一体に結合して横断面コ字状に形成されたチャンネル枠部（Ｃ）を一体に備えていて、それら上壁部（Ｃｕ）及び下壁部（Ｃｌ）並びに鉛直壁（Ｃｖ）で前記係止溝（Ｃｇ）が形成され、前記上壁部（Ｃｕ）及び下壁部（Ｃｌ）の各内端には、前記係止溝（Ｃｇ）の開口部を狭めるように互いに接近する側に延びる一対の係止爪部（Ｃｕｆ，Ｃｌｆ）がそれぞれ一体に連設され、前記アンカ本体（Ａｍ）及び前記弾性部材（Ｓ）の何れか一方が前記鉛直壁（Ｃｖ）に、またその何れか他方が前記一対の係止爪部（Ｃｕｆ，Ｃｌｆ）にそれぞれ圧接することを特徴とする、請求項１〜３の何れか１項に記載のアンカ部材のピット枠への取付構造。
【発明の詳細な説明】
【技術分野】
【０００１】
本発明は、基礎上に構築するピットの開口縁部に配置されるピット枠の、ピット開口とは反対側の側面に、ピット枠の長手方向に延びる係止溝が形成され、基礎上に起立する支柱に結合可能なアンカ部材が前記係止溝に収納、固定される、アンカ部材のピット枠への取付構造に関する。
【背景技術】
【０００２】
上記アンカ部材を用いてピット枠を支柱に支持させるピット枠支持構造は従来公知である（下記特許文献１を参照）。
【先行技術文献】
【特許文献】
【０００３】
【特許文献１】特開平１０−８６９７号公報
【発明の概要】
【発明が解決しようとする課題】
【０００４】
ところが上記従来のピット枠支持構造では、ピット枠の製造工場又は建築現場において、ピット枠の係止溝に装入したアンカ部材を、係止溝内面に裏板を当てがった状態でボルトで係止溝に締結、固定するようにしていたので、その作業前にアンカ部材にボルトを予め螺挿しておく必要があり、そのねじ加工やボルトを取付けたり締め込んだりする作業や、係止溝内面に裏板をセットする作業等が面倒で、作業能率が悪い等の問題がある。
【０００５】
本発明は、上記に鑑み提案されたもので、従来構造の前記問題を簡単な構造で解決できるようにした、アンカ部材のピット枠への取付構造を提供することを目的とする。
【課題を解決するための手段】
【０００６】
前記目的を達成するために、本発明は、基礎上に構築するピットの開口縁部に配置されるピット枠の、ピット開口とは反対側の側面に、ピット枠の長手方向に延びる係止溝が形成され、基礎上に起立する支柱に結合可能なアンカ部材が前記係止溝に収納、固定される、アンカ部材のピット枠への取付構造において、前記アンカ部材は、前記係止溝に遊隙を存して装入可能なアンカ本体と、そのアンカ本体に基部が連結される弾性部材とを備えており、前記弾性部材は、これの自由端部を前記係止溝に係合させ且つ該弾性部材を弾性変形させることで生じる弾発力により、その係止溝の内面に前記アンカ本体を圧接させることを第１の特徴とする。
【０００７】
また本発明は、第１の特徴に加えて、前記アンカ本体は、前記係止溝にその開放面より装入可能であり且つその装入後に係止溝内で所定角度回動して係止溝内面に係合可能な取付姿勢をとり得るよう縦長形状に形成され、前記弾性部材は、前記アンカ本体の前記係止溝への前記装入を許容し且つ該アンカ本体が前記前記取付姿勢にあるときに該係止溝の内面に前記自由端部が圧接し得る形状の板ばねで構成されることを第２の特徴とする。
【０００８】
また本発明は、前記第２の特徴に加えて、前記弾性部材の基部が前記アンカ本体に相対回動可能に連結されることを第３の特徴とする。
【０００９】
また本発明は、第１〜第３の特徴の何れかに加えて、前記ピット枠は、上壁部及び下壁部の一端相互を鉛直壁で一体に結合して横断面コ字状に形成されたチャンネル枠部を一体に備えていて、それら上壁部及び下壁部並びに鉛直壁で前記係止溝が形成され、前記上壁部及び下壁部の各内端には、前記係止溝の開口部を狭めるように互いに接近する側に延びる一対の係止爪部がそれぞれ一体に連設され、前記アンカ本体及び前記弾性部材の何れか一方が前記鉛直壁に、またその何れか他方が前記一対の係止爪部にそれぞれ圧接することを第４の特徴とする。
【発明の効果】
【００１０】
本発明の第１の特徴によれば、アンカ部材のピット枠への取付けに際して、アンカ部材は、これに基部を連結した弾性部材の自由端部を係止溝に係合させ且つ弾性部材を弾性変形させるようにしてアンカ本体を係止溝に装入するだけでよく、これにより、弾性部材の弾発力でアンカ本体を係止溝の内面に圧接させることができて、アンカ本体をピット枠に摩擦連結可能となる。従って、アンカ部材は、その構造が簡素化されてコスト節減が図られるだけでなく、裏板も不要となって取扱いが頗る簡便となり、アンカ部材によるピット枠支持作業の能率向上に大いに寄与することができる。
【００１１】
また特に第２の特徴によれば、前記弾性部材は、これを板ばねより構成したことで、製造容易となる上、コスト節減が図られる。しかもアンカ本体は、ピット枠の係止溝にその開放面より装入可能であり且つその装入後に係止溝内で所定角度回動して係止溝内面に係合可能な取付姿勢をとり得るよう縦長形状に形成され、また弾性部材は、アンカ本体の係止溝への前記装入を許容し且つアンカ本体が係止溝内で前記取付姿勢にあるときに係止溝の内面に自由端部が圧接し得る形状に形成されるので、アンカ部材は、そのアンカ本体を係止溝に装入後、溝内で所定角度回動させるだけの簡単な操作で、ピット枠（係止溝）の所望位置に容易迅速に取付け可能となり、その取付けの際には、板ばねよりなる弾性部材の自由端部を係止溝内面に無理なく係合、圧接させることができるから、作業性が良好である。
【００１２】
また特に第３の特徴によれば、弾性部材の基部がアンカ本体に相対回動可能に連結されるので、アンカ本体を係止溝に装入後、溝内で所定角度回動させる際に、係止溝内面と圧接状態にある弾性部材を置き去りにして（即ち弾性部材を係止溝内でアンカ本体に追従させることなく）アンカ本体だけを回動操作すればよく、それだけアンカ本体の回動操作を無理なくスムーズに行うことができ、作業性が一層良好である。
【００１３】
また特に第４の特徴によれば、ピット枠に設けたチャンネル枠部の鉛直壁とこれに対向する一対の係止爪部とに、アンカ本体と弾性部材とを容易且つ的確に係合可能となるから、アンカ部材によるピット枠支持作業の作業性を更に向上させることができる。
【図面の簡単な説明】
【００１４】
【図１】本発明の第１実施形態を示すピットの斜視図
【図２】図１の２−２線拡大断面図
【図３】コンクリート打設前においてピット枠を支柱及びアンカ部材を介して基礎上に支持した状態を示す斜視図
【図４】図３の４−４線拡大断面図
【図５】図４の５−５線断面図
【図６】アンカ部材をピット枠に取付ける手順を説明する図であって、（Ａ）は図５対応断面図、（Ｂ）は、（Ａ）のＢ−Ｂ線断面図
【図７】（Ａ）は本発明の第２実施形態を示す図３対応斜視図、（Ｂ）は本発明の第３実施形態を示す図３対応斜視図
【発明を実施するための形態】
【００１５】
本発明の実施の形態を、添付図面により以下に具体的に説明する。
【００１６】
先ず、図１〜図６に示す本発明の第１実施形態について説明する。図１に示すように、建物内又は建物外において、基礎Ｂ上にはコンクリートＣＲの打設により水平な歩行面ｆが形成されており、その歩行面ｆには溝状のピットＰが凹設される。このピットＰは、必要に応じて種々の用途、例えば配線用、排水用、物品収納用等の用途に用いられるものであり、そのピットＰの開口縁部には、その開口縁部を体裁よく縁取るようにして開口縁部に沿って縦列する複数条のピット枠Ｆが配設される。尚、図１ではそのうちの１条のピット枠Ｆのみ示す。
【００１７】
図２〜図６を併せて参照して、ピット枠Ｆの、ピット開口Ｏとは反対側（即ちピット周壁と対向する側）の側面には、ピット枠Ｆの長手方向に延びる係止溝Ｃｇが形成される。そして、相隣なるピット枠Ｆの隣接端部間が、その間に跨がるように係止溝Ｃｇに装着されるジョイント部材（図示せず）を介して着脱可能に結合される。
【００１８】
ピット枠Ｆは、上壁部Ｃｕ及び下壁部Ｃｌの一端相互を鉛直壁Ｃｖで一体に結合して横断面コ字状に形成されたチャンネル枠部Ｃと、そのチャンネル枠部Ｃの鉛直壁Ｃｖ外面に一体に連設されて水平に延びる、ゴムシート１付きの蓋載せ枠部Ｄとを少なくとも一体に備える。そして、その上壁部Ｃｕ及び下壁部Ｃｌの各内端には、係止溝Ｃｇの開放面を狭めるように互いに接近する側に延びる上下一対の係止爪部Ｃｕｆ，Ｃｌｆがそれぞれ一体に連設される。
【００１９】
また蓋載せ枠部Ｄの上面には、ピットＰの上端開口を塞ぐピット蓋Ｔが、前記ゴムシート１を介して載置、支持され、その支持状態でピット蓋Ｔの上面は、前記歩行面ｆと面一に連続して歩行面の一部を構成する。
【００２０】
而してチャンネル枠部Ｃの内側面、即ちピット開口Ｏと反対側の側面には、チャンネル枠部Ｃの前記した上壁部Ｃｕ及び下壁部Ｃｌ、上下の係止爪部Ｃｕｆ，Ｃｌｆ並びに鉛直壁Ｃｖにより前記係止溝Ｃｇが形成される。尚、このような係止爪部Ｃｕｆ，Ｃｌｆを設ける代わりに、係止溝Ｃｇ自体を、溝幅が開放面に向かって徐々に狭くなる所謂アリ溝状に形成することも可能である。
【００２１】
ところでピットＰをコンクリートＣＲの打設により成形する前の状態で、基礎Ｂ上にはピット枠Ｆを所定高さに固定支持するための支柱Ｈが立設される。そして、この支柱Ｈの上部に、前記係止溝Ｃｇに装着されたアンカ部材Ａを介してピット枠Ｆが結合、支持される。
【００２２】
そのアンカ部材Ａは、鉛直の矩形平板状に形成されて係止溝Ｃｇに遊隙を存して装入可能な金属製のアンカ本体Ａｍと、そのアンカ本体Ａｍの下端部に連設されて水平方向にのびる取付片Ａｔと、アンカ本体Ａｍに基部Ｓｂが連結されると共に係止溝Ｃｇに一対の自由端部Ｓａが係合し得る弾性部材Ｓとを備えている。そして、この弾性部材Ｓは、これの自由端部Ｓａを係止溝Ｃｇの内面（図示例では溝底面、即ち鉛直壁部Ｃｖの内面）に係合させ且つ弾性部材Ｓを弾性変形させることで、その係止溝Ｃｇの内面（図示例では係止溝Ｃｇの開放端縁、即ち係止爪部Ｃｕｆ，Ｃｌｆの内面）にアンカ本体Ａｍを圧接させる弾発力を発揮し得るものであり、その弾発力でアンカ本体Ａｍがピット枠Ｆの係止溝Ｃｇの内面に摩擦連結される。また前記取付片Ａｔの両側縁には一対の下向きフランジ部５がそれぞれ一体に連設され、その各フランジ部５の外面に前記支柱Ｈの上部側面が衝合し溶接される。
【００２３】
前記アンカ本体Ａｍは、係止溝Ｃｇにその開放面より装入可能であり且つその装入後に係止溝Ｃｇ内で所定角度（図示例では９０度）回動して係止溝Ｃｇ内面に係合可能な取付姿勢をとり得るよう縦長の矩形状に形成される。しかもこのアンカ本体Ａｍの外周コーナの少なくとも一部には、アンカ本体Ａｍの係止溝Ｃｇ内での回動を無理なく許容するように円弧状の面取りが形成される。尚、図示例では、アンカ本体Ａｍ及び取付片Ａｔを平板よりプレス成形（切り起こし）することで所定形状に成形される。
【００２４】
前記弾性部材Ｓは、アンカ本体Ａｍの係止溝Ｃｇへの前記装入を許容し且つアンカ本体が前記取付姿勢にあるときに係止溝Ｃｇの内面に自由端部Ｓａが圧接し得る帯板状の金属（例えばバネ鋼）製の板ばねで構成される。そして、その弾性部材Ｓは、これの長手方向中央部が前記基部Ｓｂとされ、またその長手方向両端部が前記一対の自由端部Ｓａとされ、更にそれら基部Ｓｂと各自由端部Ｓａとの間は、基部Ｓｂから各自由端部Ｓａに向かって徐々に立ち上るよう傾斜した隆起部Ｓｍで接続される。
【００２５】
尚、弾性部材Ｓの基部Ｓｂをアンカ本体Ａｍに連結する連結手段として、図示例ではそれら基部Ｓｂ及びアンカ本体Ａｍを相対回動可能に結合するリベット１２を用いたものを例示したが、その連結手段はリベット６に限定されず、種々の連結手段（例えばボルト、溶接手段、カシメ手段、接着手段等）から任意に選択可能である。
【００２６】
而して、前記したアンカ部材Ａをピット枠Ｆの係止溝Ｃｇにセットした状態で、そのアンカ本体Ａｍと、弾性変形状態に置かれる弾性部材Ｓの自由端部Ｓａとは、その何れか一方（図示例では後者Ｓａ）がチャンネル枠部Ｃの鉛直壁Ｃｖ内面に、またその他方（前者Ｊｍ）が、係止溝Ｃｇの開放端縁即ち係止爪部Ｃｕｆ，Ｃｌｆの各内面にそれぞれ圧接されるため、アンカ部材Ａを係止溝Ｃｇの内面に摩擦連結することができる。尚、図４の一点鎖線は、自由状態の弾性部材Ｓを示している。
【００２７】
尚、図示例とは反対に、弾性部材Ｓの自由端部Ｓａを係止溝Ｃｇの開放端縁即ち上下の係止爪部Ｃｕｆ，Ｃｌｆの内面に圧接させ、またアンカ本体Ａｍをチャンネル枠部Ｃの鉛直壁Ｃｖの内底面に圧接させることも可能であり、この場合には、弾性部材Ｓ一対の自由端部Ｓａの相互間隔を、上下の係止爪部Ｃｕｆ，Ｃｌｆ間の間隔（即ち係止溝Ｃｇの開放面の幅）よりも十分広く設定する必要がある。
【００２８】
次に本第１実施形態の作用を説明する。
【００２９】
ピットＰの構築に当たっては、先ず、ピットＰの完成形態に合せて複数条のピット枠Ｆを互いに結合することでピット枠組立体を組立てる。この場合、縦列するピット枠Ｆ間は、図示しないジョイント部材を介して結合される。
【００３０】
次いで、上記のようにして組立てられたピット枠組立体を、図示しない治具を用いて基礎Ｂから所望のレベルに位置決め保持し、しかる後に、そのレベル調整と位置決めがなされたピット枠組立体におけるピット枠Ｆの任意の部位にアンカ部材Ａを取付ける。その後、そのアンカ部材Ａのアンカ片Ａｔを、基礎Ｂ上に立設した支柱Ｈの上部に溶接等で固定することにより、ピット枠組立体がアンカ部材Ａを介して支柱Ｈに結合、支持される。
【００３１】
しかる後に、コンクリートの打設、固化によりピットＰ付きの歩行面ｆを成形し、その成形と共にピット枠ＦがピットＰの開口縁部に一体に沿設されるようにする。尚、アンカ部材Ａをピット枠Ｆに装着する作業は、ピット枠Ｆを前述のように治具を用いて基礎Ｂから所望のレベルに位置決め保持する後でも前でもよい。
【００３２】
ところでアンカ部材Ａをピット枠Ｆに装着する作業に際しては、アンカ部材Ａは、アンカ本体Ａｍに基部Ｓｂを連結した弾性部材Ｓの自由端部Ｓａを係止溝Ｃｇの内面（図示例ではチャンネル枠部Ｃの鉛直壁部Ｃｖ内面）に係合させ且つその弾性部材Ｓを弾性変形させるようにして、アンカ本体Ａｍを係止溝Ｃｇ内にその溝の開放面より装入すればよい。尚、この装入作業のときは、縦長のアンカ本体Ａｍを図６実線に示すように横長姿勢として、係止溝Ｃｇの開放面をアンカ本体Ａｍが無理なく通過できるようにする。
【００３３】
そして、上記装入の後は、アンカ本体Ａｍを係止溝Ｃｇ内で所定角度回動させて、図４，５の実線に示すような縦長姿勢として、弾性部材Ｓの弾発力でアンカ本体Ａｍを係止溝Ｃｇの内面（図示例では係止溝Ｃｇの開放端縁即ち係止爪部Ｃｕｆ，Ｃｌｆの内面）に圧接させることにより、アンカ本体Ａｍをピット枠Ｐの係止溝Ｃｇの内面に摩擦連結させることができる。従って、アンカ部材Ａは、その構造が簡素化されてコスト節減が図られるだけでなく、係止溝Ｃｇ内面に裏板をセットする作業も不要となって取扱いが頗る簡便となり、アンカ部材Ａによるピット枠Ｐ支持作業の能率向上が図られる。
【００３４】
而して、弾性部材Ｓは、これを図示例のように板ばねより構成したことで、製造容易となりコスト節減が達成される。
【００３５】
また特に本実施形態においてアンカ本体Ａｍは、ピット枠Ｐの係止溝Ｃｇ内に、その溝の開放面を通して弾性部材Ｓと共に装入可能であり且つその装入後に係止溝Ｃｇ内で所定角度（９０度）回動して係止溝Ｃｇ内面に係合可能な取付姿勢をとり得るよう縦長矩形状に形成される。更に弾性部材Ｓは、これをアンカ本体Ａｍと共に係止溝Ｃｇに装入するときも或いはその装入後にアンカ本体Ａｍを係止溝Ｃｇ内で所定角度回動させるときも、その弾性部材Ｓの自由端部Ｓａが係止溝Ｃｇの内面（図示例では鉛直壁部Ｃｖの内面）の所望部位に圧接し得る形状に形成されるため、アンカ部材Ａは、そのアンカ本体Ａｍを簡単な操作で係止溝Ｃｇの所望位置に組付け可能となり、その組付けの際には、弾性部材Ｓの自由端部Ｓａを係止溝Ｃｇの内面に無理なく係合、圧接させることができるから、作業性が良好である。
【００３６】
その上、本実施形態のように弾性部材Ｓの基部Ｓｂをアンカ本体Ａｍに相対回動可能に連結すれば、前述のようにアンカ本体Ａｍを係止溝Ｃｇに装入後、溝内で所定角度回動させる際に、係止溝Ｃｇ内面に対し圧接状態にある弾性部材Ｓを置き去りにして（即ち弾性部材Ｓを係止溝Ｃｇ内でアンカ本体Ａｍに追従回動させることなく）アンカ本体Ａｍだけを回動操作するだけでよく、それだけアンカ本体Ａｍの回動操作を無理なくスムーズに行うことができ、作業性が一層良好となる。
【００３７】
尚、本実施形態とは異なり、弾性部材Ｓの基部Ｓｂを仮にアンカ本体Ａｍに相対回動不能に連結した場合には、弾性部材Ｓは、アンカ本体Ａｍと共に係止溝Ｃｇにその開放面より装入された後、係止溝Ｃｇの内面に圧接した状態のまま、係止溝Ｃｇ内でアンカ本体Ａｍと共に所定角度（９０度）回動し、その回動の際に係止溝Ｃｇの内面を摺接する。
【００３８】
また図７には、本発明の第２，第３実施形態が示される。これら実施形態では、アンカ部材Ａの構造のみが第１実施形態と異なるので、その異なる構造部分だけを説明する。尚、これら第２，第３実施形態の主要な構成要素には、これと対応する第１実施形態の構成要素と同じ参照符号を付してある。
【００３９】
即ち、図７（Ａ）の第２実施形態では、アンカ部材Ａは、第１実施形態と同様のアンカ本体Ａｍ及び弾性部材Ｓと、そのアンカ本体Ａｍの一側縁部に一体に連設されて水平方向にのびる取付片Ａｔ′とを備えている。その取付片Ａｔ′は、ピット枠Ｆの背面側から見て横断面Ｌ字状に形成されており、その取付片Ａｔ′の鉛直壁部分１１の外面に、前記した支柱Ｈの上部側面が衝合し溶接される。
【００４０】
また、図７（Ｂ）の第３実施形態では、アンカ部材Ａは、第１実施形態と同様のアンカ本体Ａｍ及び弾性部材Ｓと、そのアンカ本体Ａｍの一側縁部に一体に連設されて水平方向にのびる取付片Ａｔ″とを備えている。その取付片Ａｔ″は、平面視でＬ字状に形成されており、その取付片Ａｔ″の鉛直壁部分１２の外面に、前記した支柱Ｈの上部側面が衝合し溶接される。
【００４１】
以上、本発明の実施の形態について説明したが、本発明はその実施形態に限定されることなく、本発明の範囲内で種々の実施の形態が可能である。
【００４２】
たとえば、ピット枠Ｆは、その断面形状が実施形態のものに限定されず、少なくともピット開口Ｏと反対側の側面にアンカ部材Ａの係合可能な係止溝Ｃｇを有した種々の断面形状の型枠を使用可能である。
【００４３】
また前記実施形態では、アンカ本体Ａｍを係止溝Ｃｇ内で回動操作することでピット枠Ｆの長手方向の何れの部位からでもアンカ本体Ａｍを係止溝Ｃｇ内にその開放面を通して装入できるようにした装入手法を示したが、本発明では、そのアンカ本体Ａｍを係止溝Ｃｇ内で回動操作することなくピット枠Ｆの長手方向の端部開口から係止溝Ｃｇに摺動させつつ嵌入させるようにしてもよい。尚、この場合には、前記実施形態とは異なり、アンカ本体Ａｍ及び弾性部材Ｓを係止溝Ｃｇ内にその長手方向に摺動のみ可能（即ち相対回動不能）な形状に形成してもよい。
【００４４】
また前記実施形態では、ピットＰをコンクリートの打設により成形するものを示したが、本発明では、溝状凹部を有するダクト（ピット形成部材）を基礎上に設置することでピットを構築するものに実施可能である。
【００４５】
また前記実施形態では、ピット枠Ｆの係止溝Ｃｇ付きチャンネル枠部Ｃの所定部位に蓋載せ段部Ｄを一体に連設したものを示したが、本発明では、蓋載せ段部を省略してもよく或いは蓋載せ段部の位置を適宜変更してもよい。
【００４６】
また前記実施形態では、アンカ部材Ａのアンカ本体Ａｍと一体の取付片Ａｔを支柱Ｈの上部の任意部位に直接支持（溶接）したものを示したが、本発明では、アンカ部材を、支柱Ｈの上部に高さ調節可能に装着（例えば螺合）した昇降支持体に結合して、この昇降支持体を介してアンカ部材を支柱に支持させるようにしてもよい。
【符号の説明】
【００４７】
Ａ・・・・・アンカ部材
Ａｍ・・・・アンカ本体
Ｃ・・・・・チャンネル枠部
Ｃｇ・・・・係止溝
Ｃｌ・・・・下壁部
Ｃｕ・・・・上壁部
Ｃｕｆ，Ｃｌｆ・・一対の係止爪部
Ｃｖ・・・・鉛直壁
Ｆ・・・・・ピット枠
Ｏ・・・・・ピット開口
Ｐ・・・・・ピット
Ｓ・・・・・弾性部材としての板ばね
Ｓａ・・・・自由端部としての先部
Ｓｂ・・・・基部
Ｓｍ・・・・隆起部
【図１】
2015229908.tif 000003
【図２】
2015229908.tif 000004
【図３】
2015229908.tif 000005
【図４】
2015229908.tif 000006
【図５】
2015229908.tif 000007
【図６】
2015229908.tif 000008
【図７】
2015229908.tif 000009